(57)【要約】【課題】仰臥中に自然に腰骨の矯正が図られ、腰痛の緩和や予防を可能にする腰部用枕構造を提供する。【解決手段】仰臥する人体の腰底部に当てるベース空気袋１０を備え、このベース空気袋１０の左右両端部に１対のサイド空気袋２０，３０を連結配備する。そして、各空気袋の膨張時には、両サイド空気袋の上端がベース空気袋１０の上端よりも高くなるように設定される。使用者が横向しようと腰部を左又は右側に傾けると、傾いた腰部からの力を左側又は右側のサイド空気袋が的確に受け止めて弾性変形し、その反発力により柔らかく使用者の身体を元の仰臥姿勢に戻そうとする。【選択図】図１
2016131772.tif 000002
【特許請求の範囲】
【請求項１】
仰臥する人体の腰底部に当てる平面視略矩形の第１のクッション部材と、
前記第１のクッション部材の対向する１対の縦辺部にそれぞれ連結形成された１対の第２のクッション部材を備え、
前記各第２のクッション部材は、前記第１のクッション部材の対向する１対の横辺部と前記縦辺部により形成される面に略垂直方向の厚さが前記第１のクッション部材の前記略垂直方向の厚さより大きく設定されるように構成することを特徴とする腰部用枕構造。
【請求項２】
前記第１のクッション部材及び第２のクッション部材は、流体を封入可能な袋状に構成され、該流体の導入によって弾力性を有することを特徴とする請求項１に記載の腰部用枕構造。
【請求項３】
仰臥する人体の腰底部に当てる平面視略矩形の第１のクッション部材と、
前記第１のクッション部材の対向する１対の縦辺部にそれぞれ連結形成された１対の第２のクッション部材を備え、
前記第１のクッション部材及び第２のクッション部材はそれぞれ、気体を封入可能な袋状であり、
気体が封入された状態では、前記各第２のクッション部材は、前記第１のクッション部材の対向する１対の横辺部と前記縦辺部により形成される面に略垂直方向の厚さが前記第１のクッション部材の前記略垂直方向の厚さより大きくなるように構成することを特徴とする腰部用枕構造。
【請求項４】
前記第１のクッション部材が前記略垂直方向に貫通した通気孔を備えることを特徴とする請求項１ないし３のいずれか１項に記載の腰部用枕構造。
【請求項５】
前記各第２のクッション部材が、当該腰部用枕構造を人体の腰部周りに位置決めする部材を通すためのベルト通しを備えることを特徴とする請求項１ないし４のいずれか１項に記載の腰部用枕構造。
【発明の詳細な説明】
【技術分野】
【０００１】
本発明は、腰部用枕構造に関し、さらに詳細には、腰痛の緩和や予防をするために人体の腰部に装着する腰部用枕構造に関する。
【背景技術】
【０００２】
従来、この種の分野の技術としては、例えば特許文献１や特許文献２に開示されるものがあった。
特許文献１の枕構造は、１つの空気袋を内蔵したベルトを、空気袋が腰部に当たるように装着する構成であり、空気袋を腰に当てて就眠したりすると、腰椎が伸びて腰痛緩和に役に立つというものである。
【０００３】
また、特許文献２の枕構造は、人体腰部の背中側曲線に沿った湾曲部を有する形状のクッションであり、クッションが、仮眠時などにおいて仰臥した人体の腰部を背中側から押圧することにより腰部の骨矯正を図るものである。
【先行技術文献】
【特許文献】
【０００４】
【特許文献１】特開２００３−１６９８１９号公報
【特許文献２】実開平７−１７１６５号公報
【発明の概要】
【発明が解決しようとする課題】
【０００５】
しかしながら、就眠や仮眠時において仰臥した人体が、そのまま仰臥の姿勢を保つことは稀であり、腰部を左右に傾けて横向きの姿勢をとることもある。このような横向きの姿勢になったときには、腰部に変則的な力が働き、これが長期に亘って繰り返されると、腰痛の悪化を招くおそれがある。前述した従来の腰枕構造では、この点が考慮されておらず、就眠時に腰骨の矯正を図るという観点からは、未だ解決されていない問題が残されていた。
【０００６】
本発明は、このような事情に鑑みてなされたもので、その目的は、仰臥中に自然に腰骨の矯正が図られ、腰痛の緩和や予防を可能にする腰部用枕構造を提供することにある。
【課題を解決するための手段】
【０００７】
上記目的を達成するために、本発明は、仰臥する人体の腰底部に当てる平面視略矩形の第１のクッション部材（１０）と、該第１のクッション部材の対向する１対の縦辺部（１０ａ，１０ｂ）にそれぞれ連結形成された１対の第２のクッション部材（２０，３０）を備え、前記各第２のクッション部材は、前記第１のクッション部材の対向する１対の横辺部（１０ｃ，１０ｄ）と前記縦辺部により形成される面に略垂直方向の厚さが前記第１のクッション部材の前記略垂直方向の厚さより大きく設定されるように構成することを特徴とする腰部用枕構造を提供する。
【０００８】
本発明の腰部用枕構造によれば、仰臥したとき腰底部に第１のクッション部材が当たるように装着して仰臥すると、使用者の腰底部に第１のクッション部材が当っているので、第１のクッション部材が弾性変形して、寝具面に向かって押圧する力を吸収する。使用者が横向しようと腰部を左側又は右側に傾けると、第１のクッション部材の対向する１対の縦辺部にそれぞれ連結形成された第２のクッション部材が第１のクッション部材の厚さよりも厚く設定されているので、傾いた腰部からの力を左側又は右側の第２のクッション部材が的確に受け止めて弾性変形し、その反発力により柔らかく使用者の身体を元の仰臥姿勢に戻そうとする。このように、仰臥中において、腰部に受ける衝撃を吸収し、また腰部の姿勢を常に安定した自然な上向きの姿勢に保つことができる。
【０００９】
本発明の腰部用枕構造において、前記第１のクッション部材及び第２のクッション部材は、主として空気等の流体を封入可能な袋状に構成され、該流体の導入によって弾力性を有することが好ましい。このように構成される腰部用枕構造によれば、不使用時には流体を排出することにより、好適な収納性や携帯性を持たせることができる。
【００１０】
別の態様では、本発明は、仰臥する人体の腰底部に当てる平面視略矩形の第１のクッション部材（１０，８０）と、前記第１のクッション部材の対向する１対の縦辺部（１０ａ，１０ｂ）にそれぞれ連結形成された１対の第２のクッション部材（２０，３０）を備え、前記第１のクッション部材及び第２のクッション部材はそれぞれ、気体を封入可能な袋状であり、気体が封入された状態では、前記各第２のクッション部材は、前記第１のクッション部材の対向する１対の横辺部（１０ｃ，１０ｄ）と前記縦辺部により形成される面に略垂直方向の厚さが前記第１のクッション部材の前記略垂直方向の厚さより大きくなるように構成することを特徴とする腰部用枕構造を提供する。
【００１１】
本発明の腰部用枕構造によれば、使用時には、袋状である第１のクッション部材及び第２のクッション部材に気体を充填することによって、第１のクッション部材及び第２のクッション部材の弾力性を保つことができ、不使用時には気体を排出することにより、好適な収納性や携帯性を持たせることができる。
【００１２】
本発明の腰部用枕構造において、前記第１のクッション部材（８０）が前記略垂直方向に貫通した通気孔（１６）を備えるのが好ましい。このように構成される腰部用枕構造によれば、使用時において腰底部に通気孔を空気が流通するため、腰部の蒸れを防止することができる。
【００１３】
また、本発明の腰部用枕構造は、前記各第２のクッション部材が、当該腰部用枕構造を人体の腰部周りに装着する部材を通すためのベルト通し（２２，３２）を備えることを特徴とする。このような構成によれば、当該腰部用枕構造を的確に人体の腰部に固定することができる。
【発明の効果】
【００１４】
本発明の腰部用枕構造によれば、使用者の腰部の姿勢を常に安定した自然な姿勢に保持することができるので、仰臥中に自然に腰骨の矯正が図られ、腰痛を緩和したり予防したりすることができる。
【図面の簡単な説明】
【００１５】
【図１】本発明の実施例１に係る腰部用枕構造の膨張時の全体構成を示す正面斜視図である。
【図２】図１のＡ−Ａ'断面図である。
【図３】図１のＢ−Ｂ'断面図である。
【図４】実施例１の腰部用枕構造の製造に用いる金型の押圧面を示す図である。
【図５】実施例１に係る腰部用枕構造の使用時断面図である。
【図６】本発明の実施例２に係る腰部用枕構造の膨張時の全体構成を示す正面斜視図である。
【図７】本実施例２の腰部用枕構造の製造に用いる金型の押圧面を示す図である。
【図８】実施例２に係る腰部用枕構造の使用時断面図である。
【発明を実施するための形態】
【００１６】
以下、添付図面を参照しながら本発明の一実施の形態について詳細に説明する。なお、これにより本発明が限定されるものではない。
【実施例】
【００１７】
−実施例１−
図１は、本発明の実施例１に係る腰部用枕構造の膨張時の全体構成を示す正面斜視図である。また、図２は、そのＡ−Ａ'断面図、図３はＢ−Ｂ'断面図である。
実施例１に係る腰部用枕構造１は、図１に示すように、ベース空気袋（第１のクッション部材）１０と、このベース空気袋１０の対向する１対の縦辺部１０ａ，１０ｂにそれぞれ連結形成された１対のサイド空気袋（第２のクッション部材）２０，３０を備える。これら空気袋は、２枚重ねられたポリ塩化ビニールシートの所定箇所が熔着により貼り合わせて気密可能に形成されている。
【００１８】
ベース空気袋１０には、左右方向（本明細書において、「横方向」又は「Ｘ軸方向」ということがある。）に長手の４つの間仕切り部１１が等間隔に設けられ、これによって５つの空気室１２が形成される。各空気室１２は、ベース空気袋１０の左右端部側の連通室１３，１４を通してそれぞれ連通され、ベース空気袋１０に設けられた１つの空気栓１５より空気の出し入れが行われるようになっている。空気栓１５より空気を注入してベース空気袋１０を膨張させる際には、ベース空気袋１０は、４つの間仕切り部１１、１対の縦辺部１０ａ，１０ｂ（縦辺部の方向を「縦方向」又は「Ｙ軸方向」ということがある。）、及び１対の横辺部１０ｃ，１０ｄの各熔着部以外の部分が膨出する。その結果、各空気室１２は略円筒形の形状となり、これに連通する連通室１３，１４がテーパ状の形状になる（図２及び図３参照）。使用者が空気で膨張した腰部用枕構造１を装着し仰臥したとき、このような形状のベース空気袋１０は使用者の腰底部に当たる。
【００１９】
左右のサイド空気袋２０，３０はそれぞれ、膨張時に、主体部が円筒形であってその両端部が先細り湾曲形状を成す（図２及び図３参照）。そして、左側のサイド空気袋２０は、ベース空気袋１０の対向する１対の縦辺部１０ａ，１０ｂと１対の横辺部１０ｃ，１０ｄにより形成される面に略垂直方向（本明細書において、「Ｚ軸方向」ということがある。）中央付近の高さ位置の右端部が一方の端部の先端から他方の端部の先端に至るまでベース空気袋１０の左端部１０ａに一体的に熔着され、さらに主体部の側端部に空気栓２１を備えている。
【００２０】
同様に、右側のサイド空気袋３０は、Ｚ軸方向中央付近の高さ位置の左端部が一方の端部の先端から他方の端部の先端に至るまでベース空気袋１０の右端部１０ｂに一体的に熔着され、さらに主体部の側端部に空気栓３１を備えている。
各空気袋の膨張時においては、図３に示すように、各サイド空気袋２０，３０のＺ軸方向上端２０Ａ，３０Ａがベース空気袋１０の上端１０Ａよりも高く設定され、ベース空気袋１０のＺ軸方向下端１０Ｂが各サイド空気袋２０，３０の下端２０Ｂ，３０Ｂよりも高く設定される。
【００２１】
また、左側のサイド空気袋２０の左端中央部付近には、ベルト通し２２が設けられている。その通し孔２３にベルト４１の一端を通し、ベース空気袋１０の下部から、右側のサイド空気袋３０の右端中央部付近に設けられたベルト通し３２の通し孔３３に該一端を通す。このようにして、腰部用枕構造１を使用者の腰部周りに位置決めした状態でベルト４１を腰部用枕構造１と身体の回りに巻き、ベルト４１の一端をバックル４２で固定する。このことによって、腰部用枕構造１を使用者の腰部に固定することができ、各サイド空気袋２０，３０を人体腰部の左右に固定できる。
【００２２】
次に、上記構成の腰部用枕構造１の製造方法について説明する。
本実施例の腰部用枕構造１は、高周波ウェルダ加工技術を用いて、二枚重ねのポリ塩化ビニールシートを金型通りに熔断、熔着して製造される。
図４は、本実施例の腰部用枕構造１の製造に用いる金型の押圧面を示す図である。図４中の太線部分は、金型の押圧部分を示し、図１に示す腰部用枕構造１の熔着箇所に対応している。具体的には、太線部分１０ａ'は、ベース空気袋１０の左端部１０ａとサイド空気袋２０の右端部との熔着箇所に対応し、太線部分１０ｂ'は、ベース空気袋１０の右端部１０ｂとサイド空気袋３０の左端部との熔着箇所に対応している。太線部分１０ｃ'，１０ｄ'は、ベース空気袋１０の上下端部１０ｃ，１０ｄの熔着箇所にそれぞれ対応し、太線部分１１'は、ベース空気袋１０の４つの間仕切り部１１の熔着箇所に対応している。
【００２３】
また、太線部分２０'，３０'は、それぞれサイド空気袋２０，３０の外側周縁部の熔着箇所に対応し、太線部分２２'，３２'は、それぞれサイド空気袋２０，３０のベルト通し２２，３２の熔着箇所に対応している。
【００２４】
この金型には、上記の熔着箇所に対応した押圧部分の他に、切断箇所に対応して切断刃が配設されている。即ち、金型の周縁部の側面に切断刃が配設される他、ベルト通し２２，３２の通し孔２３，３３を形成するための切断刃が設けられている。
【００２５】
また、この金型の全体寸法について、左右幅は、各サイド空気袋２０，３０が人体の腰幅よりも外側に設定される点を考慮して例えば４００ｍｍとし、上下幅は、胴体における腰部の長さを考慮して例えば２８０ｍｍとする。また、各サイド空気袋２０，３０の左右幅は１２０ｍｍとする。
【００２６】
腰部用枕構造１を製造する製造機（図示省略）は、基台と、この基台の上部に対向配置された移動機構とを備え、上記構成の金型が移動機構の基台対向面にセットされる。まず、一方に空気栓を付けた二枚重ねのポリ塩化ビニールシートを基台の所定位置にセットする。
その後、移動機構を下降させてシートを所定の圧力で押圧しつつ高周波電力を通電すると、切断刃によって二枚のシートが所定の切断箇所で発熱熔断され、同時に、二枚重ねのシートの押圧部分が高周波誘導加熱で熔着される。そして、例えば１秒間保持し冷却後、移動機構が上昇すれば、膨張前の各空気袋１０，２０，３０が得られる。この状態の製品にベルト４１を取り付けることで、膨張前の腰部用枕構造１が完成する。
【００２７】
次に、上記構成の腰部用枕構造１の作用効果について、図を参照しつつ説明する。
図５は、実施例１に係る腰部用枕構造１の使用時断面図である。まず、空気栓１５，２１，３１より空気袋１０，２０，３０に注気すると、腰部用枕構造１は、空気袋１０，２０，３０が図１に示すような形状に膨出したエアークッションとなる。
【００２８】
使用者は立姿勢で腰部１００の背中側腰部（腰底部）に腰部用枕構造１のベース空気袋１０を当てた状態でバックル４２にベルト４１を通して装着する。このようにして装着した状態で使用者が仰向けに寝ると、当該腰部用枕構造１は、図５に示すように使用者の腰周りに固定される。そのとき、使用者の腰底部にはベース空気袋１０が当っているので、ベース空気袋１０が弾性変形して、寝具面５０に向かって押圧する力を吸収する。さらに、ベース空気袋１０の各空気室１２が、腰部１００から受ける力を均等に的確に受け止めるように作用するので、クッション性が高まる。また、腰部１００の重圧によって、ベース空気袋１０が床面に押圧されると同時に、各サイド空気袋２０，３０が大きく弾性変形して上向きの強い反発力を得る。
【００２９】
その後、使用者が向きを変えようとして腰部１００を左側又は右側に傾けると、傾いた腰部１００からの横方向の力をサイド空気袋２０又は３０が的確に受け止めて弾性変形し、腰部１００の傾斜に応じた反発力が生じる。同時に、各サイド空気袋２０，３０の床面部の反発力が踏ん張り力として働き、使用者の身体を柔らかく元の仰臥姿勢に戻そうとする。
【００３０】
このように、例えば就眠などで仰臥中において、使用者は、腰部１００に受ける衝撃がなく、また図５に示すように腰部１００の姿勢を常に安定した自然な姿勢に保つことができる。これにより、毎日繰り返す睡眠時に、比較的長時間に亘って腰部１００の姿勢を常に正しい姿勢に保つことができるため、自然に腰骨の矯正が図られ、腰痛の緩和や予防が可能になる。
使用後は、空気栓１５，２１，３１から各空気袋１０，２０，３０を抜気することにより、好適な収納性や携帯性を持たせることができる。
【００３１】
−実施例２−
図６は、本発明の実施例２に係る通気性を考慮した腰部用枕構造２の膨張時の全体構成を示す正面斜視図であり、図１と共通する要素は、同一の符号を付し、その説明を省略する。
本実施例の腰部用枕構造２は、上述の実施例１に示した腰部用枕構造１において、ベース空気袋１０を変更した構成であり、その他の構成は実施例１と同じである。即ち、本実施例のベース空気袋８０は、実施例１に示した空気室１２，１３，１４及び連通室１３，１４に代えて、図６に示すような上下方向に貫通した複数の通気孔１６を備えている。通気孔１６は、平面視円形（直径２５ｍｍ）であって３列で計１１個を等間隔に配列しているが、それらの数、配列は限定しない。
【００３２】
腰部用枕構造２の製造は、実施例１と同様の高周波ウェルダ加工技術により、図７に示すような金型を用いて行う。
図７は、本実施例２の腰部用枕構造２の製造に用いる金型の押圧面を示す図であり、図４と共通の要素には同一の符号を付し、その説明を省略する。
図７中の太線部分は、金型の押圧部分を示しており、図６に示した腰部用枕構造２の熔着箇所に対応している。具体的には、各太線部分１６ａ'は、通気孔１６の熔着箇所に対応している。
【００３３】
実施例１で説明したように、二枚重ねのポリ塩化ビニールシートの所定の熔着箇所を熔着面によって熔着し、同時に当該シートの熔断部分を高周波誘導加熱で同時に熔断する。これによって、本実施例では、ベース空気袋８０になるシート部分の所定位置に１１個の直径２５ｍｍの孔が穿設され、この各孔の周縁から１．５ｍｍ幅位で二枚のシートが熔着される。このようにして、１１個の通気孔１６が形成される。
図８は、実施例２に係る腰部用枕構造２の使用時断面図である。上記構成の腰部用枕構造２によれば、腰部用枕構造１の上記効果の他、図８に示すように仰臥時において使用者の腰底部に通気孔１６を介して空気が当たるため、腰部の蒸れを防止することができる。
【００３４】
−変形例−
本発明は、図示の実施例に限定されず、種々の変形が可能である。その変形例としては例えば次のようなものがある。
（１）本発明の腰部用枕構造の形状、寸法は、上記実施例に示したものに限定されない。例えば、使用者の腰幅の大きさに応じて各種サイズ（Ｌサイズ、Ｍサイズ、Ｓサイズなど）の腰部用枕構造を実現することも可能である。
【００３５】
（２）上記実施例では、第１及び第２のクッション部材として空気を充填した袋を採用したが、空気以外の他の気体であってもよく、また温水などの液体を充填可能に構成してもよい。さらには、第１及び第２のクッション部材として袋状の部材ではなく、一体的な弾性体で構成することも可能である。
【００３６】
（３）上記実施例では、素材としてポリ塩化ビニールシートを用いたが、高周波誘電加熱に適性を有する他の熱可塑性樹脂シートを採用してもよい。また、高周波ウェルダ加工技術を用いなければ、例えばゴムシートなどの素材を採用することもできる。
【符号の説明】
【００３７】
１０，８０  ベース空気袋（第１のクッション部材）
１０ａ，１０ｂ  ベース空気袋の対向する１対の縦辺部
１０ｃ，１０ｄ  ベース空気袋の対向する１対の横辺部
１２  流体室
１３，１４  連通室
１５，２１，３１  空気栓
１６  通気孔
２０，３０  サイド空気袋（第２のクッション部材）
２０Ａ，３０Ａ  サイド空気袋２０，３０の上端
２０Ｂ，３０Ｂ  サイド空気袋２０，３０の下端
２２，３２  ベルト通し
４１  ベルト
４２  バックル
１００  人体（腰部）
【図１】
2016131772.tif 000003
【図２】
2016131772.tif 000004
【図３】
2016131772.tif 000005
【図４】
2016131772.tif 000006
【図５】
2016131772.tif 000007
【図６】
2016131772.tif 000008
【図７】
2016131772.tif 000009
【図８】
2016131772.tif 000010